(57)【要約】【課題】表示面の正面方向と比べ斜め方向における輝度不足が低減された表示用照明装置及び表示装置を実現する。【解決手段】本発明の表示用照明装置１０では、蛍光管２０からの光が出射される前記シャーシ１２における出射面Ｆに対して平行な第１の方向に主たる長手方向を有する蛍光管２０が、シャーシ１２における蛍光管２０の配置領域に対し対称的に配置されるとともに、出射面Ｆに対して、傾斜した第２の方向に主たる長手方向を有する蛍光管２０が対称的に配置されている。【選択図】図２
2008243620.tif 000002
【特許請求の範囲】
【請求項１】
表示パネルの背面を照らし、シャーシと、前記シャーシに配置された光源とが備えられた表示用照明装置であって、
前記光源からの光が出射される前記シャーシにおける出射面に対して平行な第１の方向に主たる長手方向を有する光源が、前記シャーシにおける光源の配置領域に対し対称的に配置されるとともに、
前記出射面に対して傾斜した第２の方向に主たる長手方向を有する光源が、前記シャーシにおける光源の配置領域に対し対称的に配置されていることを特徴とする表示用照明装置。
【請求項２】
表示パネルの背面を照らし、シャーシと、前記シャーシに配置された光源とが備えられた表示用照明装置であって、
前記光源からの光が出射される前記シャーシにおける出射面に対して平行な第１の方向に主たる長手方向を有する光源が、前記シャーシにおける光源の配置領域に対し対称的に配置されるとともに、
前記光源は、出射面に対して傾斜した第２の方向に延伸された部分を有し、
前記第２の方向に延伸された部分が、前記シャーシにおける光源の配置領域に対し、対称的に配置されていることを特徴とする表示用照明装置。
【請求項３】
前記第２の方向と、前記出射面とのなす角が、０°よりも大きく、９０°よりも小さいことを特徴とする請求項１又は２に記載の表示用照明装置。
【請求項４】
前記第２の方向と、前記出射面とのなす角が、前記第１の方向に沿って連続的に大きくなるように変化することを特徴とする請求項２に記載の表示用照明装置。
【請求項５】
前記第１の方向に主たる長手方向を有する光源、及び、前記第２の方向に主たる長手方向を有する光源が、何れも直線型の線状光源であることを特徴とする請求項１に記載の表示用照明装置。
【請求項６】
前記シャーシが長方形型であり、
前記第２の方向に主たる長手方向を有する光源が、前記長方形の長辺と平行な方向に配置されており、
前記第２の方向に主たる長手方向を有する光源が、前記長方形の長辺の長さの５％以上の長さであることを特徴とする請求項１に記載の表示用照明装置。
【請求項７】
前記シャーシが長方形型であり、
前記光源の第２の方向に延伸された部分が、前記長方形の長辺と平行であり、
前記光源の第２の方向に延伸された部分が、前記長方形の長辺の長さの５％以上の長さであることを特徴とする請求項２に記載の表示用照明装置。
【請求項８】
前記表示パネルが液晶表示パネルであることを特徴とする請求項１から７の何れか１項に記載の表示用照明装置。
【請求項９】
前記光源が放電管であることを特徴とする請求項１から８の何れか１項に記載の表示用照明装置。
【請求項１０】
前記放電管は、冷陰極管、熱陰極管、及び、キセノン管の内の少なくとも一であることを特徴とする請求項９に記載の表示用照明装置。
【請求項１１】
請求項１から１０の何れか１項に記載の表示用照明装置と、表示パネルとが備えられた表示装置。
【発明の詳細な説明】
【技術分野】
【０００１】
本発明は、表示用照明装置、及び、表示装置に関する。
【背景技術】
【０００２】
従来から、冷陰極管や熱陰極管などの蛍光管が光源として用いられた表示用照明装置が、液晶表示パネルなど自発光性を有しない表示パネルが備えられた表示装置に、広く用いられている。
【０００３】
この表示用照明装置は、一般に、シャーシと、シャーシに形成された光源受け部と、光源受け部にはめ込まれることによってシャーシに固定された複数本の光源とを備える。
【０００４】
（特許文献１）
このような構成を有する表示用照明装置としては種々の構成が提案されている。例えば、特許文献１には、図１６に示すように、棒状光源１０１が、その延伸方向が長方形型のケース（シャーシ）１０３における長手方向（図１６に矢印で示す第１方向）と平行となるように、ケース１０３に配置されてなる照明装置（表示用照明装置）１１０が記載されている。
【０００５】
詳しくは、前記棒状光源１０１は、第１方向について２列、図１６に矢印で示す第２方向について５行の、合計１０個、照明装置１１０に設けられている。
【０００６】
すなわち、特許文献１に記載の照明装置１１０では、複数本の棒状光源１０１が、長方形型の照明装置１１０において、横方向（長方形の長辺方向）に複数本配置されている。
【０００７】
（特許文献２）
また、特許文献２には、図１７に示すように、Ｕ字型の蛍光管（光源）２１５が、長方形型のバックライトモジュール（表示用照明装置）２０１において、Ｕ字の長手方向がバックライトモジュール２０１の短手方向と平行になるように設けられたバックライトモジュール２０１が記載されている。
【０００８】
すなわち、特許文献２に記載のバックライトモジュール２０１では、複数本のＵ字型の蛍光管２１５が、長方形型のバックライトモジュール２０１において、縦方向（長方形の短手方向）に複数本配置されている。
【０００９】
なお、図１６及び図１７は、何れも従来技術を示すものであり、図１６は特許文献１に記載された照明装置１１０の概略構成を示す図であり、図１７は特許文献２に記載されたバックライトモジュール２０１の概略構成を示す図である。
【特許文献１】特開２００５−１９０９９１号公報（２００５年７月１４日公開）
【特許文献２】登録実用新案第３１１０００４号公報（２００５年４月１３日登録）
【特許文献３】特開平９−２５９６２４号公報（１９９７年１０月３日公開）
【発明の開示】
【発明が解決しようとする課題】
【００１０】
（斜め方向の暗さ）
しかしながら、前記特許文献１及び特許文献２に記載された従来の構成では、表示用照明装置の正面方向は明るいが、斜め方向が暗いという問題点がある。以下、説明を簡単にするため、横長の長方形型表示用照明装置において、その横方向に直管型蛍光管が配置された表示用照明装置を例にして説明する。
【００１１】
図１８は、従来の表示用照明装置１０の概略構成を示す図である。図１８に示すように、表示用照明装置１０に備えられたシャーシ１２には、直管型の蛍光管２０が長方形型表示用照明装置１０の長辺方向に平行になるように、複数本設けられている。
【００１２】
そして、この表示用照明装置１０は、表示用照明装置１０の正面方向（図１８に示す矢印Ｐが示す方向）、及び、表示用照明装置１０の斜め方向のうち、前記直管型の蛍光管２０に垂直な方向（図１８に示す矢印Ｌが示す方向及び矢印Ｍが示す方向）では輝度が高い。
【００１３】
これに対して、表示用照明装置１０の斜め方向のうち、前記直管型の蛍光管２０に平行な方向（図１８に示す矢印Ｎが示す方向及び矢印Ｏが示す方向：横斜め方向）では輝度が低い。
【００１４】
（配光特性）
このような方向による輝度の差は、蛍光管２０の配光特性に起因する。以下、蛍光管２０の配光特性を図１９及び図２０に基づいて説明する。
【００１５】
図１９は、蛍光管２０を管端から直管の延伸方向に向かって見た場合の、蛍光管２０から出射される光の強度を示す図である。一方、図２０は、蛍光管２０を側面から見た場合の、蛍光管２０から出射される光の強度を示す図である。
【００１６】
蛍光管２０の長手方向に対する垂直面においては、図１９に示すように、蛍光管２０の全円周から、その円周に対する法線方向に向かって、均一に光が出射されている（矢印Ｔ）。
【００１７】
一方、蛍光管２０の長手方向を含む面においては、図２０に示すように、蛍光管２０の長手方向に対して垂直な方向に対して出射される光が最も強く（矢印Ｑ）、出射される方向が前記垂直な方向から傾斜するにしたがって（矢印Ｒ〜矢印Ｓ）、光の強度が弱くなっていく。
【００１８】
以上の配光特性によって、図１８に示す表示用照明装置１０において、蛍光管２０の長手方向に対して垂直な方向である矢印Ｌ、矢印Ｍ、及び、矢印Ｐの方向については明るくなるが、蛍光管２０の長手方向に対して垂直な方向から傾斜した方向である矢印Ｎ、及び、矢印Ｏの方向については暗くなる。
【００１９】
表示用照明装置１０の断面を用いて説明すると以下の通りである。図２１は、図１８のＦ−Ｆ線断面図である。図２１に示すように、表示用照明装置１０の正面方向（図２１の矢印Ｐの方向）は、蛍光管２０の配光特性上光の強度が強い方向なので、明るくなる。
【００２０】
他方、表示用照明装置１０の横斜め方向（図２１の矢印Ｎ、及び、矢印Ｏの方向）は、蛍光管２０の配光特性上光の強度が弱い方向なので、暗くなる。
【００２１】
（表示装置の見え方）
つぎに、前記表示用照明装置を、表示パネルとして液晶表示パネルが備えられた液晶表示装置において、直下型の背面照明手段として用いた場合の前記液晶表示装置の明るさを、図２２（ａ）、図２２（ｂ）、及び、図２２（ｃ）に基づいて説明する。図２２（ａ）は液晶表示パネル５が備えられた液晶表示装置１を正面方向から見たときの画面７の明るさを示す図であり、図２２（ｂ）は液晶表示装置１を左横斜め方向から見たときの画面７の明るさを示す図であり、図２２（ｃ）は液晶表示装置１を右横斜め方向から見たときの画面７の明るさを示す図である。
【００２２】
図２２（ａ）、図２２（ｂ）、及び、図２２（ｃ）に示すように、液晶表示装置１の画面７の明るさは、前記表示用照明装置１０の配光特性にしたがう。すなわち、図２２（ａ）に示すように、液晶表示装置１を正面方向から見たとき、画面７は明るく見えるが、これに対して、液晶表示装置１を左横斜め方向又は右横斜め方向から見たときは、図２２（ｂ）及び図２２（ｃ）示すように、画面７は、前記正面方向から見たときに比べて暗く見える。
【００２３】
つぎに、前記画面７の明るさについて、図２３（ａ）及び図２３（ｂ）に基づいて、定量的に説明する。
【００２４】
図２３（ａ）は、画面７について、仰角を変えた場合の輝度の変化を示す図であり、横軸は仰角（度）を示し、縦軸は相対輝度を示す。また、図２３（ｂ）は、前記図２３（ａ）に示す相対輝度の測定方法を示す図である。
【００２５】
ここで、相対輝度とは、各々の仰角における輝度を、正面方向の輝度を１として規格化した値を意味する。そして、図２３（ａ）に示す相対輝度は、画面７に対して垂直な方向（図２３（ｂ）に示す矢印Ｚの方向。正面方向。）から、方位角０°の方向（図２３（ｂ）に示す矢印−Ｘ及び＋Ｘの方向。水平方向。）に対して傾斜させながら輝度を測定した場合の相対輝度である。
【００２６】
図２３（ａ）に示すように、仰角（図２３（ｂ）に示す点線矢印における角度）の絶対値が大きくなると相対輝度が低下すること、すなわち、横斜め方向では、正面方向よりも暗くなることが、定性的に分かる。
【００２７】
そして、このような液晶表示装置１における横斜め方向での明るさの低下は、表示装置における表示品位の低下をまねく。
【００２８】
（特許文献３）
また、特許文献３には、図２４、及び、図２５に示すように、枠部３１０（シャーシ）に蛍光管３１２（光源）が備えられた発光パネル装置３０１（表示用照明装置）であって、前記蛍光管３１２の非発光領域３０６が折り曲げられた発光パネル装置３０１について記載されている。
【００２９】
詳しくは、前記枠部３１０における光が出射する面には、光拡散板３１１が設けられており、他方前記枠部３１０における前記面以外の面には、反射板３１３が設けられている。そして、前記蛍光管３１２の管端部である非発光領域３０６（蛍光管３１２における発光領域３０５を除いた領域）が、前記出射側である前記光拡散板３１１とは反対の方向、言い換えると、前記反射板３１３の方向に折り曲げられた発光パネル装置３０１について記載されている。
【００３０】
しかしながら、この特許文献３に記載された発光パネル装置３０１は、観者が前記非発光領域３０６を観た場合、その非発光領域３０６が黒点に見えることなどによる輝度斑発生の抑制を目的とするものである。
【００３１】
すなわち、特許文献３に記載の発光パネル装置３０１では、蛍光管３１２においてその長手方向を異にする部分が存在するものの、かかる部分が非発光領域３０６であるため、前記のように蛍光管３１２が折り曲げられても、斜め方向の明るさを変化させるものではなかった。
【００３２】
なお、前記図２４は、特許文献３に記載された発光パネル装置３０１の概略構成を示す図であり、前記図２５は、前記図２４のＧ−Ｇ線断面図である。
【００３３】
そこで、本発明は、前記の問題点に鑑みてなされたものであり、その目的は、斜め方向における輝度不足が低減された表示用照明装置、及び、表示装置を実現することにある。
【課題を解決するための手段】
【００３４】
本発明の表示用照明装置は、前記課題を解決するために、表示パネルの背面を照らし、シャーシと、前記シャーシに配置された光源とが備えられた表示用照明装置であって、前記光源からの光が出射される前記シャーシにおける出射面に対して平行な第１の方向に主たる長手方向を有する光源が、前記シャーシにおける光源の配置領域に対し対称的に配置されるとともに、前記出射面に対して傾斜した第２の方向に主たる長手方向を有する光源が、前記シャーシにおける光源の配置領域に対し対称的に配置されていることを特徴とする。
【００３５】
また、本発明の表示用照明装置は、前記課題を解決するために、表示パネルの背面を照らし、シャーシと、前記シャーシに配置された光源とが備えられた表示用照明装置であって、前記光源からの光が出射される前記シャーシにおける出射面に対して平行な第１の方向に主たる長手方向を有する光源が、前記シャーシにおける光源の配置領域に対し対称的に配置されるとともに、前記光源は、出射面に対して傾斜した第２の方向に延伸された部分を有し、前記第２の方向に延伸された部分が、前記シャーシにおける光源の配置領域に対し対称的に配置されていることを特徴とする。
【００３６】
前記の構成によれば、光源が、出射面に対して平行な方向と、傾斜した方向とに配置されている。したがって、出射面に対する正面方向のみならず、正面方向から傾斜した方向に対しても、十分な輝度を確保することができる。
【００３７】
よって、斜め方向における輝度不足が低減された表示用照明装置を実現することができる。
【００３８】
光源が蛍光管である場合を例にして説明する。
【００３９】
前述の通り、蛍光管においてその出射光の強度が全方向に対して均一となる面は、蛍光管の長手方向に対する垂直面（以下、均一出射面）である。
【００４０】
そして、前記の構成によれば、蛍光管が出射面に対して平行な第１の方向に主たる長手方向を有する場合には、前記均一出射面は、表示用照明装置の正面方向と平行になる。したがって、正面方向に対して十分な光が出射されるので、正面方向において輝度不足が生じにくい。
【００４１】
他方、蛍光管が出射面に対して傾斜した第２の方向に主たる長手方向を有する場合には、前記均一出射面は、表示用照明装置の正面方向から傾斜した方向となる。したがって、正面方向に対して傾斜した斜め方向に対しても十分な光が出射されるので、斜め方向における輝度不足が低減される。
【００４２】
その結果、正面方向のみならず、斜め方向における輝度不足が低減された表示用照明装置を実現することができる。
【００４３】
本発明の表示用照明装置は、前記第２の方向と、前記出射面とのなす角が、０°よりも大きく、９０°よりも小さいことが好ましい。
【００４４】
前記の構成によれば、前記なす角が０°よりも大いので、第２の方向における光源から出射される光が、第１の方向における光源から出射される光と同じ方向とはならない。
【００４５】
また、前記なす角が９０°よりも小さいので、第２の方向における光源から出射される光が、出射面に対して垂直な方向となることによって、表示用照明装置の外部に出射されにくくなることがない。
【００４６】
したがって、効果的に斜め方向における輝度不足が低減することができる。
【００４７】
本発明の表示用照明装置は、前記第２の方向と、前記出射面とのなす角が、前記第１の方向に沿って連続的に大きくなるように変化するものとすることができる。
【００４８】
前記の構成によれば、光源の向きが連続的に変化する。例えば、光源が蛍光管である場合には、前述の均一出射面の角度が連続的に変化する。
【００４９】
したがって、より多くの横斜め方向に対して、輝度不足の低減を図ることができ、その結果、観る方向による輝度の変化を抑制することができる。
【００５０】
本発明の表示用照明装置は、前記第１の方向に主たる長手方向を有する光源、及び、前記第２の方向に主たる長手方向を有する光源が、何れも直線型の線状光源であることが好ましい。
【００５１】
前記の構成によれば、光源が、直線型の線状光源であるので、直線型の線状光源を異なる方向に配置することによって、容易に異なる２方向に光源を配置することができる。
【００５２】
すなわち、従来の直線型の線状光源、例えば直管型の蛍光管を用いて前記第１の方向、及び、第２の方向の光源が備えられた表示用照明装置を製造することができるので、表示用照明装置の製造コストの増加を抑制することができる。
【００５３】
本発明の表示用照明装置は、前記シャーシが長方形型であり、前記第２の方向に主たる長手方向を有する光源が、前記長方形の長辺と平行な方向に配置されており、前記第２の方向に主たる長手方向を有する光源が、前記長方形の長辺の長さの５％以上の長さであることが好ましい。なお、前記第２の方向に主たる長手方向を有する光源の長さについて、特に上限は定められない。
【００５４】
本発明の表示用照明装置は、前記シャーシが長方形型であり、前記光源の第２の方向に延伸された部分が、前記長方形の長辺と平行であり、前記光源の第２の方向に延伸された部分が、前記長方形の長辺の長さの５％以上の長さであることが好ましい。
【００５５】
前記の構成によれば、長方形型の表示用照明装置において、長辺の長さの５％以上の長さにわたって、第２の方向における光源、すなわち、出射面に対して傾斜した光源が設けられているので、輝度不足が生じ安い長辺方向に対する斜め方向に対しても、効果的に輝度不足を低減させることができる。
【００５６】
また、本発明の表示用照明装置は、前記表示パネルが液晶表示パネルであることが好ましい。
【００５７】
前記の構成によれば、液晶表示パネルが自発光性を有しないので、前記表示用照明装置によって、斜め方向における輝度不足を効果的に低減することができる。
【００５８】
また、本発明の表示用照明装置は、前記光源が放電管であることが好ましい。
【００５９】
また、本発明の表示用照明装置は、前記放電管は、冷陰極管、熱陰極管、及び、キセノン管の内の少なくとも一であることが好ましい。
【００６０】
前記の構成によれば、光源が、放電管、好ましくは冷陰極管、熱陰極管、及び、キセノン管の内の少なくとも一であるので、光源の長手方向に対する垂直面（均一出射面）に出射される光の均一性が高い。したがって、斜め方向における輝度不足をより効果的に低減することができる。
【００６１】
また、本発明の表示装置は、前記表示用照明装置と、表示パネルとが備えられていることが好ましい。
【００６２】
前記の構成によれば、斜め方向に対しての輝度不足が低減された表示用照明装置が用いられているので、斜め方向における輝度不足が低減され、その結果、斜め方向に対しても良好な表示品位を有する表示装置を実現することができる。
【発明の効果】
【００６３】
本発明の表示用照明装置及び表示装置は、以上のように、光源からの光が出射される前記シャーシにおける出射面に対して平行な第１の方向に主たる長手方向を有する光源が、シャーシにおける光源の配置領域に対し対称的に配置されるとともに、出射面に対して傾斜した第２の方向に主たる長手方向を有する光源が、前記シャーシにおける光源の配置領域に対し対称的に配置されている。
【００６４】
また、本発明の表示用照明装置及び表示装置は、以上のように、光源からの光が出射される出射面に対して平行な第１の方向に主たる長手方向を有する光源が、シャーシにおける光源の配置領域に対し対称的に配置されるとともに、光源は、出射面に対して傾斜した第２の方向に延伸された部分を有し、第２の方向に延伸された部分が、シャーシにおける光源の配置領域に対し、対称的に配置されている。
【００６５】
したがって、斜め方向における輝度不足が低減された表示用照明装置、及び、表示装置を実現するという効果を奏する。
【発明を実施するための最良の形態】
【００６６】
〔実施の形態１〕
本発明の一実施の形態について図１及び図２に基づいて説明すると以下の通りである。
【００６７】
図１は、本実施の形態の表示用照明装置１０の概略構成を示す図である。
【００６８】
本実施の形態の表示用照明装置１０は、図１に示すように、およそ長方形型のシャーシ１２と、前記シャーシ１２に固定された光源としての蛍光管２０とを備えている。
【００６９】
（蛍光管の配置）
そして、本実施の形態の表示用照明装置１０では、前記蛍光管２０が複数本設けられており、その蛍光管２０には、屈曲蛍光管２０ａと直管蛍光管２０ｃとが含まれている。
【００７０】
詳しくは、横長長方形状のシャーシ１２の長辺（横辺）とほぼ同じ長さの直管蛍光管２０ｃと屈曲蛍光管２０ａとが、各々３本と２本、交互に、前記横辺と平行な方向に配置されている。
【００７１】
ここで、屈曲蛍光管２０ａとは、直管型の蛍光管の少なくとも一部分が折り曲げられた蛍光管を意味する。また、直管蛍光管２０ｃは、直管型の蛍光管を意味する。以下、前記屈曲蛍光管２０ａについて、詳しく説明する。
【００７２】
（平行領域と傾斜領域）
本実施の形態の表示用照明装置１０では、前記屈曲蛍光管２０ａの一部分が、前記表示用照明装置１０の出射面から傾斜している。
【００７３】
言い換えると、前記蛍光管２０は、その長手方向が前記出射面と平行（第１の方向）な部分（平行部分）と、その長手方向が前記出射面から傾斜（第２の方向）している部分（傾斜部分）とを有している。
【００７４】
そして、前記平行部分は、蛍光管が出射面と平行に配置されている領域である平行領域（図１の斜線の無い領域：ＰＡ）を構成し、他方前記傾斜部分は、蛍光管が出射面に対して傾斜して配置されている領域である傾斜領域（図１の斜線が施された領域：ＢＡ）を構成している。
【００７５】
言い換えると、平行領域ＰＡは、図１に示すように、前記屈曲蛍光管２０ａの一部分（平行部分）と前記直管蛍光管２０ｃの全体とによって構成されている。他方、傾斜領域ＢＡは、前記屈曲蛍光管２０ａの一部分（傾斜部分）によって構成されている。以下、図２に基づいて、詳しく説明する。
【００７６】
（傾斜角度）
図２は、図１におけるＡ−Ａ線断面図である。図２に示すように、本実施の形態における屈曲蛍光管２０ａは、線状光源であるが、その長手方向における２箇所で屈曲されることによって、対称的な山型形状に成形されている。
【００７７】
具体的には、前記屈曲蛍光管２０ａは、表示用照明装置１０の出射面（図２に示す一点鎖線Ｆ）に平行な部分（平行部分、図２のＰＡ参照）と、前記出射面Ｆから傾斜した部分（傾斜部分、図２のＢＡ参照）とを有している。
【００７８】
そして、前記屈曲蛍光管２０ａの傾斜部分の、前記出射面Ｆからの傾斜角度（図２に示すθ）は、−３０°である。なお、図２においては、説明の簡素化のため、前記屈曲蛍光管２０ａの前記出射面Ｆからの傾斜角度θを、前記屈曲蛍光管２０ａにおける前記傾斜部分の前記平行部分からの傾斜角度（前記傾斜部分と前記平行部分とのなす角）として示している。以下の図においても、適宜前記傾斜角度を前記なす角として示す。
【００７９】
なお、前記傾斜角度θは前記−３０°に限定されるものではなく、前記出射面Ｆから傾斜していればよい。すなわち、−９０°＜θ＜０°、又は、０°＜θ＜９０°であればよい。なす角として言い換えると、０°＜θ＜９０°であればよい。
【００８０】
好ましくは、斜め方向における輝度不足の低減と、表示用照明装置１０の厚さの抑制との調和の観点から、−４５°＜θ＜０°、又は、０°＜θ＜４５°の範囲とされる。
【００８１】
ここで、傾斜角度におけるθの正方向は、前記出射面Ｆから表示用照明装置１０の外部の方向に傾斜する方向（出射方向に傾斜する方向）を示す。他方、傾斜角度におけるθの負方向は、前記出射面Ｆから表示用照明装置１０の内部の方向に傾斜する方向（出射方向とは逆の方向に傾斜する方向）を示す。なお、なす角は、正の値として表示している。
【００８２】
（平行領域）
つぎに、本実施の形態の表示用照明装置１０の平行領域ＰＡについて説明する。本実施の形態の表示用照明装置１０においては、前記平行領域ＰＡは、前記の通り前記屈曲蛍光管２０ａの平行部分によって構成されるとともに、前記直管蛍光管２０ｃによっても構成されている。
【００８３】
すなわち、図１のＢ−Ｂ線断面図である図２６に示すように、直管蛍光管２０ｃは、その長手方向の全長にわたって、前記出射面Ｆと平行となっている。
【００８４】
なお、この直管蛍光管２０ｃの構成は、従来の表示用照明装置１０に用いられる蛍光管と同様の構成である。
【００８５】
すなわち、従来の表示用照明装置１０では、前記直管蛍光管２０ｃのみが、光源として複数配置されている。その結果、前記平行領域のみが形成されている。
【００８６】
（蛍光管の支持）
つぎに、本実施の形態における蛍光管２０（屈曲蛍光管２０ａ、直管蛍光管２０ｃ）の固定方法について、図２及び図２６に基づいて説明する。
【００８７】
本実施の形態における前記屈曲蛍光管２０ａは、図２に示すように、シャーシ１２と、３点で支持・固定されている。すなわち、屈曲蛍光管２０ａは、その長手方向における中心近傍の平行部分が、前記シャーシ１２に固定された光源クリップ１４によって支持されている。さらに、前記屈曲蛍光管２０ａは、その長手方向の両端である管端部分が、前記シャーシ１２の端辺近傍に設けられた光源受け部１６に差し込まれることによって固定されている。
【００８８】
また、前記直管蛍光管２０ｃも、図２６に示すように、前記屈曲蛍光管２０ａと同様の方法でシャーシ１２に固定されている。
【００８９】
なお、蛍光管の固定に関し、特に光源受け部１６の構成については、後に詳述する。
【００９０】
（平行領域と傾斜領域との比率）
つぎに、前記平行領域ＰＡと傾斜領域ＢＡとの比率について、図１に基づいて説明する。
【００９１】
ここで、図１に示すＬは、シャーシ１２における光源の配置領域の、横幅方向の長さ、本実施の形態においては、直管蛍光管２０ｃの長手方向の全長を示す。
【００９２】
また、図１に示すＬ１は、前記平行領域ＰＡの長さ、本実施の形態においては、屈曲蛍光管２０ａのうち平行領域ＰＡを構成する平行部分の長手方向の長さを示す。
【００９３】
同様に、図１に示すＬ２は、前記傾斜領域ＢＡの長さ、本実施の形態においては、屈曲蛍光管２０ａのうち傾斜領域ＢＡを構成する前記傾斜部分の長手方向の長さを示す。
【００９４】
図１に示すように、本実施の形態における傾斜領域ＢＡは、長方形状のシャーシ１２の両短辺から、長辺方向の中心部の方向に、光源の配置領域の約１／３の長さにわたって設けられている。
【００９５】
すなわち、本実施の形態においては、およそ、Ｌ１＝Ｌ２＝Ｌ／３となっている。
【００９６】
なお、前記Ｌ１及びＬ２の長さは、前記Ｌ１＝Ｌ２＝Ｌ／３に限定されるものではない。
【００９７】
例えば、図１において、シャーシ１２の両短辺から、シャーシ１２の中心方向に、シャーシ１２における光源の配置領域の横幅方向の長さの５％以上の長さの傾斜領域ＢＡを設けること（Ｌ２≧Ｌ×０．０５）によっても、斜め方向における輝度不足を低減することができる。
【００９８】
（配光特性）
つぎに本実施の形態の表示用照明装置１０の配光特性について、図２に基づいて説明する。ここで、図２の矢印Ｐは表示用照明装置１０の正面方向（図１８に示す矢印Ｐと同じ）を示す。また、図２の矢印Ｎと矢印Ｏとは、表示用照明装置１０の斜め方向のうち、長方形状の表示用照明装置１０の長辺と平行な方向（図１８に示す矢印Ｎ及び矢印Ｏと同じ：横斜め方向）を示す。
【００９９】
本実施の形態の表示用照明装置１０では、蛍光管２０において、その出射光の強度が全方向に対して均一となる、蛍光管２０の長手方向に対する垂直面（均一出射面）が、前記正面方向Ｐに平行となるのみならず、前記横斜め方向Ｎ・Ｏに対しても平行となる。
【０１００】
言い換えると、全方向に対して均一に光を出射する蛍光管２０の長手方向に対する垂直面（均一出射面）が、表示用照明装置１０の出射面Ｆに対して垂直な方向と、前記出射面Ｆに対しての左右方向（長方形状の表示用照明装置１０の長辺方向）とに向いている。
【０１０１】
具体的には、図２に示すように、平行領域ＰＡでは、屈曲蛍光管２０ａは、その長手方向が前記出射面Ｆに対して平行であるので、前記均一出射面は、表示用照明装置１０の正面方向Ｐと平行になる。したがって、正面方向Ｐに対して十分な光が出射されるので、正面方向Ｐにおいて輝度不足が生じにくい。
【０１０２】
また、傾斜領域ＢＡでは、屈曲蛍光管２０ａは、その長手方向が前記出射面Ｆに対して傾斜しており、前記均一出射面は、表示用照明装置１０の正面方向Ｐから傾斜した方向となる。したがって、正面方向Ｐに対して傾斜した横斜め方向Ｎ・Ｏに対しても十分な光が出射されるので、横斜め方向Ｎ・Ｏに対しても輝度不足が低減される。
【０１０３】
（光源）
なお、前記蛍光管２０の種類は特には限定されず、例えば冷陰極管（ＣＣＦＬ：Ｃｏｌｄ  Ｃａｔｈｏｄｅ  Ｆｌｕｏｒｅｓｃｅｎｔ  Ｌａｍｐ）や熱陰極管（ＨＣＦＬ：Ｈｏｔ  Ｃａｔｈｏｄｅ  Ｆｌｕｏｒｅｓｃｅｎｔ  Ｌａｍｐ）などを用いることができる。ここで、好適には、一般に管の径が小さいため、表示用照明装置１０の薄型化が可能であるという観点から冷陰極管が用いられる。
【０１０４】
また、前記光源としては、上記例示以外に、他の放電管、具体的には例えばキセノン管を用いることもできる。
【０１０５】
さらに、前記光源としては、例えば長方形の板状の基板にＬＥＤ（Ｌｉｇｈｔ  Ｅｍｉｔｔｉｎｇ  Ｄｉｏｄｅ）などの点光源を配設して、直管型の蛍光管と同様の線状光源としたものなどを用いることもできる。
【０１０６】
〔実施の形態２〕
本発明の他の実施の形態について図３及び図４に基づいて説明すれば、以下の通りである。図３及び図４は、本発明の他の実施の形態を示すものであり、表示用照明装置の概略構成を示す図である。
【０１０７】
なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１０８】
本実施の形態の表示用照明装置１０は、前記実施の形態１に記載された表示用照明装置１０と比べて、前記屈曲蛍光管２０ａのかわりに湾曲蛍光管２０ｂが用いられている点が相違する。
【０１０９】
ここで湾曲蛍光管２０ｂとは、多段階、又は無段階かつ連続的に、蛍光管の長手方向の前記出射面Ｆからの傾斜角度θ（蛍光管の長手方向と出射面Ｆとのなす角）が大きくなるように変化する蛍光管を意味する。湾曲蛍光管２０ｂの長手方向の形状も、屈曲蛍光管２０ａと同様に対称的である。
【０１１０】
具体的には、前記なす角が多段階に順次大きくなるように変化する構成としては、図３に示す湾曲蛍光管２０ｂが例示される。
【０１１１】
また、前記なす角が無段階に連続的に大きくなるように変化する構成としては、図４に示す湾曲蛍光管２０ｂが例示される。
【０１１２】
本実施の形態の表示用照明装置１０では、湾曲蛍光管２０ｂの前記傾斜角度θが連続的に変化するため、均一出射面（全方向に対して均一に光を出射する蛍光管の長手方向に対する垂直面）の角度も連続的に変化する。すなわち、前記均一出射面が、表示用照明装置１０の出射面Ｆに対して垂直な方向Ｐから、正面方向Ｐに対して傾斜した横斜め方向に対して連続的に変化する。
【０１１３】
その結果、より多くの横斜め方向に対して、輝度不足の低減を図ることができる。
【０１１４】
なお、前記多段階、又は無段階かつ連続的に、前記傾斜角度θが変化する構成としては、前記図３及び図４に示された構成に限定されず、例えば、蛍光管の中央（管央）部分からではなく、管端部分から連続的に傾斜角度θが変化する構成とすることもできる。
【０１１５】
〔実施の形態３〕
本発明の他の実施の形態について図５に基づいて説明すれば、以下の通りである。図５は、本発明の他の実施の形態を示すものであり、表示用照明装置の概略構成を示す図である。
【０１１６】
なお、本実施の形態において説明すること以外の構成は、前記各実施の形態と同じである。また、説明の便宜上、前記各実施の形態の図面に示した部材と同一の機能を有する部材については、同一の符号を付し、その説明を省略する。
【０１１７】
本実施の形態の表示用照明装置１０は、前記実施の形態１に記載された表示用照明装置１０と比べて、前記屈曲蛍光管２０ａの屈曲する方向が異なる点が相違する。
【０１１８】
具体的には、実施の形態１における屈曲蛍光管２０ａでは、前記屈曲蛍光管２０ａの傾斜部分の、前記出射面Ｆからの傾斜角度θは−３０°、すなわち負の値であった。
【０１１９】
言い換えると、前記屈曲蛍光管２０ａの傾斜部分は、前記出射面Ｆから表示用照明装置１０の内部の方向に傾斜する方向（出射方向とは逆の方向に傾斜する方向）に折れ曲がっていた。
【０１２０】
これに対し、本実施の形態における屈曲蛍光管２０ａの傾斜部分は、前記傾斜角θが正の値である。
【０１２１】
言い換えると、前記屈曲蛍光管２０ａの傾斜部分は、前記出射面Ｆから表示用照明装置１０の外部の方向に傾斜する方向（出射方向に傾斜する方向）に折れ曲がっている。
【０１２２】
具体的には、図５に示すように、本実施の形態における屈曲蛍光管２０ａは、その両管端部分が、表示用照明装置１０の出射方向に折れ曲がることによって、傾斜領域ＢＡを構成している。
【０１２３】
他方、平行領域ＰＡは、前記屈曲蛍光管２０ａの管央部分によって構成され、この管央部分は、シャーシ１２の底面近傍位置に、光源クリップ１４によって支持されている。
【０１２４】
本実施の形態の表示用照明装置１０においても、前記実施の形態１の表示用照明装置１０と同様に、全方向に対して均一に光を出射する蛍光管２０の長手方向に対する垂直面（均一出射面）が、表示用照明装置１０の出射面Ｆに対して垂直な方向Ｐのみならず、前記出射面Ｆに対しての左右方向Ｎ・Ｏ（長方形状の表示用照明装置１０の長辺方向）にも向いている。
【０１２５】
したがって、正面方向Ｐに対して傾斜した横斜め方向Ｎ・Ｏに対しても十分な光が出射されるので、横斜め方向Ｎ・Ｏに対しても輝度不足が低減される。
【０１２６】
さらに、本実施の形態の表示用照明装置１０では、屈曲蛍光管２０ａの両管端部分が表示用照明装置１０の出射方向に折れ曲がることによって、皿状の形状を有している。したがって、前記出射面Ｆに、拡散板などの光学部材が設けられた場合、その拡散板が自重でたわんだときであっても、前記光学部材が屈曲蛍光管２０ａに接触しにくいという利点を有する。
【０１２７】
〔実施の形態４〕
本発明の他の実施の形態について図６及び図７に基づいて説明すれば、以下の通りである。図６は、本発明の他の実施の形態を示すものであり、表示用照明装置の概略構成を示す図である。また、図７は、図６のＣ−Ｃ線断面図である。
【０１２８】
なお、本実施の形態において説明すること以外の構成は、前記各実施の形態と同じである。また、説明の便宜上、前記各実施の形態の図面に示した部材と同一の機能を有する部材については、同一の符号を付し、その説明を省略する。
【０１２９】
本実施の形態の表示用照明装置１０は、前記実施の形態１に記載された表示用照明装置１０と比べて、前記傾斜領域ＢＡが、前記屈曲蛍光管２０ａの一部分、すなわち屈曲蛍光管２０ａの傾斜部分によって構成されているのではなく、直管蛍光管２０ｅによって構成されている点が相違する。
すなわち、本実施の形態の表示用照明装置１０では、平行領域ＰＡと傾斜領域ＢＡとは、別個の蛍光管２０によって構成されている。以下、説明する。
【０１３０】
図６に示すように、本実施の形態の表示用照明装置１０では、前記第１の実施形態における屈曲蛍光管２０ａが、２本の直管蛍光管２０ｅと１本の直管蛍光管２０ｄとを一組とする３本の蛍光管２０に置き換えられている。
【０１３１】
具体的には、直管蛍光管２０ｄは、前記出射面Ｆと平行に配置されており、他方、直管蛍光管２０ｅは、前記出射面Ｆから傾斜させて配置されている。そして、直管蛍光管２０ｄが前記屈曲蛍光管２０ａの平行部分に相当し、２本の直管蛍光管２０ｅが、各々、前記屈曲蛍光管２０ａの２つの傾斜部分に相当する。以下、図７を用いてより詳しく説明する。
【０１３２】
図７に示すように、本実施の形態では、実施の形態１における屈曲蛍光管２０ａのかわりに、２本の直管蛍光管２０ｅと１本の直管蛍光管２０ｄとが用いられている。
【０１３３】
具体的には、長方形状のシャーシ１２の長辺方向におけるほぼ中央位置に、表示用照明装置１０の出射面Ｆと平行に直管蛍光管２０ｄが配置され、その両管端部がシャーシ１２に固定された光源クリップに支持されることによって、固定されている。
【０１３４】
そして、前記直管蛍光管２０ｄの両管端部から延長される形で、直管蛍光管２０ｅが配置されている。具体的には、各々の直管蛍光管２０ｅは、その一方の管端部分が、前記光源クリップ１４によって支持され、他方の管端部分が、前記シャーシ１２の端辺近傍に設けられた光源受け部１６に差し込まれることによって固定されている。
【０１３５】
そして、この直管蛍光管２０ｅは、前記出射面Ｆからθ°傾斜している。具体的には、前記実施の形態１と同様に−３０°傾斜させて配置されている。
【０１３６】
本実施の形態の表示用照明装置１０では、前記の構成によって、前記実施の形態１の表示用照明装置１０と同様に、均一出射面（全方向に対して均一に光を出射する蛍光管２０の長手方向に対する垂直面）が、表示用照明装置１０の出射面Ｆに対して垂直な方向と、前記出射面Ｆに対しての左右斜め方向とに向いている。
【０１３７】
具体的には、図７に示すように、平行領域ＰＡでは、直管蛍光管２０ｄは、その長手方向が前記出射面Ｆに対して平行であるので、前記均一出射面は、表示用照明装置１０の正面方向Ｐと平行になる。したがって、正面方向Ｐに対して十分な光が出射されるので、正面方向Ｐにおいて輝度不足が生じにくい。
【０１３８】
また、傾斜領域ＢＡでは、直管蛍光管２０ｄは、その長手方向が前記出射面Ｆに対して傾斜しているので、前記均一出射面は、表示用照明装置１０の正面方向Ｐから傾斜した方向となる。したがって、正面方向Ｐに対して傾斜した横斜め方向Ｎ・Ｏに対しても十分な光が出射されるので、横斜め方向Ｎ・Ｏに対しても輝度不足が低減される。
【０１３９】
さらに、本実施の形態の表示用照明装置１０では、光源として、直管型の蛍光管が用いられているので、前記傾斜角度を自由に節制しやすく、かつ、従来の蛍光管を用いることができるので、表示用照明装置の製造コストの増加を抑制することができる。
【０１４０】
〔実施の形態５〕
本発明の他の実施の形態について図８及び図９に基づいて説明すれば、以下の通りである。図８は、本発明の他の実施の形態を示すものであり、表示用照明装置の概略構成を示す図である。また、図９は、図８のＤ−Ｄ線断面図である。
【０１４１】
なお、本実施の形態において説明すること以外の構成は、前記各実施の形態と同じである。また、説明の便宜上、前記各実施の形態の図面に示した部材と同一の機能を有する部材については、同一の符号を付し、その説明を省略する。
【０１４２】
本実施の形態の表示用照明装置１０は、前記実施の形態４に記載された表示用照明装置１０と比べて、長さの異なる傾斜領域ＢＡが併存することを特徴とする。すなわち、長さの異なる蛍光管２０が傾斜領域ＢＡを構成している。以下、詳しく説明する。
【０１４３】
図８に示すように、本実施の形態１０においては、傾斜領域ＢＡは、異なる長さを有する直管蛍光管２０ｅと直管蛍光管２０ｇとによって構成されている。すなわち、実施の形態４における、２組の、直管蛍光管２０ｅ２本と直管蛍光管２０ｄ１本との組合せの内、その一組を、２本の直管蛍光管２０ｇと１本の直管蛍光管２０ｆとの組合せに変更している。
【０１４４】
そして、平行領域ＰＡを構成する直管蛍光管２０ｆは、他の一組において平行領域ＰＡを構成する直管蛍光管２０ｄと長さが異なっている。
【０１４５】
同様に、傾斜領域ＢＡを構成する直管蛍光管２０ｇは、他の一組において傾斜領域ＢＡを構成する直管蛍光管２０ｅと長さが異なっている。
【０１４６】
そして、図９に示すように、傾斜領域ＢＡを構成する前記直管蛍光管２０ｇは、前記実施の形態４に示す直管蛍光管２０ｅと同様に、前記出射面Ｆからθ°傾斜している。具体的には、−３０°傾斜させて配置されている。
【０１４７】
本実施の形態の表示用照明装置１０では、前記の構成によって、前記実施の４の表示用照明装置１０と同様に、正面方向Ｐに対して十分な光が出射されるので、正面方向Ｐにおいて輝度不足が生じにくく、かつ、正面方向Ｐに対して傾斜した横斜め方向Ｎ・Ｏに対しても十分な光が出射されるので、横斜め方向Ｎ・Ｏに対しても輝度不足が低減される。
【０１４８】
さらに、本実施の形態の表示用照明装置１０では、傾斜領域ＢＡを構成する直管蛍光管２０ｅと直管蛍光管２０ｇとで、その長さが異なるので、表示用照明装置１０の面内において、傾斜領域ＢＡと平行領域ＰＡとの境界線が、複数の位置に形成される。
【０１４９】
したがって、表示パネルの観者から、前記傾斜領域ＢＡと平行領域ＰＡとの境界線が認識されにくくなる。よって、より均一な輝度、及び、それにともなってより良好な表示品位を実現することができる。
【０１５０】
なお、前記の説明においては、直管蛍光管２０ｅの傾斜角度と、直管蛍光管２０ｇの傾斜角度とを同じにしたが、各々の傾斜角度を異なったものとすることができる。
【０１５１】
前記のように、傾斜領域ＢＡを構成する直管蛍光管の傾斜角度や長さを調節することによって、使用場面に応じた配光特性を実現することができる。
【０１５２】
〔実施の形態６〕
本発明の他の実施の形態について図１０に基づいて説明すれば、以下の通りである。図１０は、本実施の形態の表示用照明装置１０における、図８（実施の形態５）のＤ−Ｄ線断面に相当する断面図である。
【０１５３】
なお、本実施の形態において説明すること以外の構成は、前記各実施の形態と同じである。また、説明の便宜上、前記各実施の形態の図面に示した部材と同一の機能を有する部材については、同一の符号を付し、その説明を省略する。
【０１５４】
本実施の形態の表示用照明装置１０は、前記実施の形態５に記載された表示用照明装置１０と比べて、前記実施の形態５において傾斜領域ＢＡを構成していた直管蛍光管２０ｇの替わりに、出射面Ｆからの傾斜角度の異なる２本の直管型の蛍光管（直管蛍光管２０ｈ・２０ｉ）が用いられている点が相違する。以下、説明する。
【０１５５】
図１０に示すように、本実施の形態の表示用照明装置１０では、傾斜領域ＢＡは、傾斜角度の異なる直管蛍光管２０ｈと、直管蛍光管２０ｉとによって構成されている。具体的には、直管蛍光管２０ｈは−２５°（θ１＝−２５°）、他方直管蛍光管２０ｉは−３５°（θ２＝−３５°）傾斜させて配置されている。
【０１５６】
前記のように、傾斜領域ＢＡを、傾斜角度の異なる複数種の直管蛍光管で構成することによって、従来の蛍光管を用いて製造コストの増加を抑制しながら、より広範囲の斜め方向に対して、輝度不足を低減させることができる。
【０１５７】
〔実施の形態７〕
本発明の他の実施の形態について図１１及び図１２に基づいて説明すれば、以下の通りである。図１１は、本発明の他の実施の形態を示すものであり、表示用照明装置の概略構成を示す図である。また、図１２は、図１１のＥ−Ｅ線断面図である。
【０１５８】
なお、本実施の形態において説明すること以外の構成は、前記各実施の形態と同じである。また、説明の便宜上、前記各実施の形態の図面に示した部材と同一の機能を有する部材については、同一の符号を付し、その説明を省略する。
【０１５９】
本実施の形態の表示用照明装置１０は、前記実施の形態４に記載された表示用照明装置１０と比べて、長方形状のシャーシ１２の長辺のほぼ全長を覆っていた一組の蛍光管、すなわち、２本の直管蛍光管２０ｅと１本の直管蛍光管２０ｄとの組合せが、３組の長さの短い蛍光管の組合せに置き換えられている点が相違する。以下説明する。
【０１６０】
図１１に示すように、本実施の形態の表示用照明装置１０では、１本の直管蛍光管２０ｊと２本の直管蛍光管２０ｋとで、一組の蛍光管セットを構成し、この蛍光管セットが３組、直列状に配置されることによって、長方形状のシャーシ１２の長辺のほぼ全長をカバーしている。
【０１６１】
そして、平行領域ＰＡは直管蛍光管２０ｊによって構成され、他方、傾斜領域ＢＡは直管蛍光管２０ｋによって構成されている。
【０１６２】
また、直管蛍光管２０ｋは、前記実施の形態４に示す直管蛍光管２０ｅと同様に、前記出射面Ｆからθ°傾斜している。具体的には、−３０°傾斜させて配置されている。
【０１６３】
前記の構成によれば、シャーシ１２の長辺方向において、平行領域ＰＡと傾斜領域ＢＡとが、繰り返し構成されている。
【０１６４】
その結果、前記出射面Ｆの広い範囲から、正面方向Ｐのみならず、斜め方向Ｎ・Ｏに対して光が出射されるので、前記出射面Ｆの全面において、より均一な輝度を実現することができる。
【０１６５】
なお、図１１に示すＬ１は、前記傾斜領域ＢＡの長さ（本実施の形態においては、直管蛍光管２０ｋの長手方向の長さと近似）を示す。
【０１６６】
同様に、図１１に示すＬ２は、前記平行領域ＰＡの長さ（本実施の形態においては、直管蛍光管２０ｊの長手方向の長さと近似）を示す。
【０１６７】
そして、本実施の形態においては、図１１に示すように、前記一組の蛍光管セットにおいて、Ｌ１＝Ｌ２であり、かつ、一組の蛍光管セットにおいて、傾斜領域ＢＡは、左斜め方向Ｎと右斜め方向Ｏとに対して等しく形成されている。
【０１６８】
その結果、本実施の形態においては、正面方向Ｐと左斜め方向Ｎと右斜め方向Ｏとに対して、等しく光が出射されている。
【０１６９】
（蛍光管の接続方法）
つぎに、蛍光管の接続方法について説明する。例えば前記実施の形態４から７などにおいて、蛍光管２０を直列形状に連結する方法は、特には限定されないが、例えば、以下の方法を用いることができる。
【０１７０】
すなわち、図１４に示すように、例えば線状の蛍光管２０において、前記蛍光管２０に設けられている端子２２同士を、ハーネス３０を用いて接続するような従来の接続方法を用いることができる。
【０１７１】
さらに、本実施の形態４から７などにおいては、図１３に示すように、前記ハーネス３０を用いず、前記蛍光管２０の端子２２同士を、例えば半田などを用いて直接接続する方法を用いることができる。
【０１７２】
（蛍光管の固定方法）
つぎに、蛍光管２０の、シャーシ１２への固定方法についてより詳しく説明する。
【０１７３】
上述の通り、蛍光管２０は、主に、光源クリップ１４によって支持されるとともに、シャーシ１２の端辺近傍に設けられた光源受け部１６に差し込まれることによって固定され、かつ、他のインバーターなどの電子部品と電気的に接続されている。
【０１７４】
そして、本発明においては、従来の光源受け部１６を用いることができる。以下、図２７（ａ）及び図２７（ｂ）に基づいて説明する。図２７（ａ）は、従来技術を示すものであり、表示用照明装置の概略構成を示す図である。また、図２７（ｂ）は、図２７（ａ）に示す表示用照明装置における光源受け部１６を示す図である。
【０１７５】
図２７（ａ）に示すように、前記光源受け部１６は、長方形型のシャーシ１２における、対向する一組の辺の近傍に、ほぼその全長にわたって設けられている。
【０１７６】
そして、この光源受け部１６には、蛍光管２０の管端部をはめ込むことができるような開口部１７が設けられている。さらに、前記それぞれの開口部１７に対応した前記光源受け部１６の内部には、はめ込まれた蛍光管２０の管端部を支えるゴムホルダ１８が設けられている。
【０１７７】
なお、シャーシ１２の裏面には、一般的に前記蛍光管２０を点灯させるためにインバーター４０が設けられており、蛍光管２０とインバーター４０とは、ハーネス３０を介して電気的に接続されている。
【０１７８】
また、他の固定方法としては、以下のハーネスを用いない方法が例示される。光源受け部１６の他の構成を示す図である図１５に基づいて説明する。
【０１７９】
図１５に示すように、蛍光管２０をシャーシ１２に固定する他の方法としては、電気的な端子受け１９が設けられたゴムホルダ１８をシャーシ１２に固定し、蛍光管２０の管端部分から引き出された端子２２を、前記ゴムホルダ１８に設けられた端子受けにはめ込むことによって、電気的な導通を確保するとともに、蛍光管２０をシャーシ１２に固定する方法がある。
【０１８０】
なお、前記ゴムホルダ１８に設けられた端子受け１９は、シャーシ１２に設けられた貫通穴（図示せず）を介して、シャーシ１２の裏面に設けられたインバーターなどの部品と電気的に接続することができる。
【０１８１】
（表示装置の構成）
つぎに、本発明の表示用照明装置１０が、表示パネルの直下型の背面照明手段として用いられた表示装置の構成について、表示パネルとして液晶表示パネルが用いられた場合を例にして、図２８に基づいて説明する。図２８は、表示用照明装置と液晶表示パネルとが備えられた表示装置（液晶表示装置１）の概略構成を示す断面図である。
【０１８２】
図２８に示すように、本発明の表示用照明装置１０が用いられた液晶表示装置１においては、液晶表示パネル５の背面に表示用照明装置１０が配置されている。そして、前記液晶表示パネル５と表示用照明装置１０との間には、適宜光学シートが設けられる。例えば、図２８に示すように、前記光学シートとして、表示用照明装置１０の側から、拡散板５１、拡散シート５２、レンズシート５３、及び、拡散シート５４を設ける構成が考えられる。
【０１８３】
図２８に示す液晶表示装置１では、用いられた表示用照明装置１０が、斜め方向における輝度不足が低減された表示用照明装置１０なので、液晶表示装置１においても、斜め方向において輝度不足が低減され、良好な特性が実現される。
【０１８４】
なお、本発明の表示用照明装置１０が用いられる表示パネルは、前記液晶表示パネル５に限定されるものではなく、自発光性を有しない他の表示パネルにも好適に用いられる。
【０１８５】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１８６】
本発明の表示用照明装置は、斜め方向における輝度不足が低減されているので、大型ワイドテレビなど、斜め方向から画面を見る場合が多い表示装置に利用可能である。
【図面の簡単な説明】
【０１８７】
【図１】本発明の実施の形態を示すものであり、表示用照明装置の概略構成を示す図である。
【図２】図１のＡ−Ａ線断面図である。
【図３】本発明の他の実施の形態を示すものであり、表示用照明装置の概略構成を示す図である。
【図４】本発明の他の実施の形態を示すものであり、表示用照明装置の概略構成を示す図である。
【図５】本発明の他の実施の形態を示すものであり、表示用照明装置の概略構成を示す図である。
【図６】本発明の他の実施の形態を示すものであり、表示用照明装置の概略構成を示す図である。
【図７】図６のＣ−Ｃ線断面図である。
【図８】本発明の他の実施の形態を示すものであり、表示用照明装置の概略構成を示す図である。
【図９】図８のＤ−Ｄ線断面図である。
【図１０】本発明の他の実施の形態を示すものであり、図８のＤ−Ｄ線断面図に相当する断面図である。
【図１１】本発明の他の実施の形態を示すものであり、表示用照明装置の概略構成を示す図である。
【図１２】図１１のＥ−Ｅ線断面図である。
【図１３】蛍光管の接続方法を示す概略図である。
【図１４】蛍光管の接続方法を示す概略図である。
【図１５】本発明の実施の形態を示すものであり、光源受け部の概略構成を示す図である。
【図１６】従来技術を示すものであり、特許文献１に記載の照明装置の概略構成を示す図である。
【図１７】従来技術を示すものであり、特許文献２に記載のバックライトモジュールの概略構成を示す図である。
【図１８】従来技術を示すものであり、表示用照明装置の概略構成を示す図である。
【図１９】従来技術を示すものであり、蛍光管を管端から直管の延伸方向に向かって見た場合の、蛍光管から出射される光の強度を示す図である。
【図２０】従来技術を示すものであり、蛍光管を側面から見た場合の、蛍光管から出射される光の強度を示す図である。
【図２１】図１８のＦ−Ｆ線断面図である。
【図２２】従来技術を示すものであり、（ａ）は液晶表示装置を正面方向から見たときの画面の明るさを示す図であり、（ｂ）は液晶表示装置を左横斜め方向から見たときの画面の明るさを示す図であり、（ｃ）は液晶表示装置を右横斜め方向から見たときの画面の明るさを示す図である。
【図２３】（ａ）は仰角を変えた場合の輝度の変化を示す図であり、（ｂ）は輝度の測定方法を示す図である。
【図２４】従来技術を示すものであり、特許文献３に記載の発光パネル装置の概略構成を示す図である。
【図２５】図２４のＧ−Ｇ線断面図である。
【図２６】図１のＢ−Ｂ線断面図である。
【図２７】従来技術を示すものであり、（ａ）は表示用照明装置の概略構成を示す図であり、（ｂ）は光源受け部を示す図である。
【図２８】表示用照明装置と表示パネルとが備えられた表示装置の概略構成を示す断面図である。
【符号の説明】
【０１８８】
１    液晶表示装置
５    液晶表示パネル（表示パネル）
７    画面
１０    表示用照明装置
１２    シャーシ
１４    光源クリップ
１６    光源受け部
１８    ゴムホルダ
１９    端子受け
２０    蛍光管（光源）
２０ａ  屈曲蛍光管
２０ｂ  湾曲蛍光管
２０ｃ  直管蛍光管
２０ｄ  直管蛍光管
２０ｅ  直管蛍光管
２０ｆ  直管蛍光管
２０ｇ  直管蛍光管
２０ｈ  直管蛍光管
２０ｉ  直管蛍光管
２０ｊ  直管蛍光管
２０ｋ  直管蛍光管
２２    端子
３０    ハーネス
４０    インバーター
５１    拡散板
５２    拡散シート
５３    レンズシート
５４    拡散シート
１０１    棒状光源
１０３    ケース
１１０    照明装置
２０１    バックライトモジュール
２１５    蛍光管
３０１    発光パネル装置
３０５    発光領域
３０６    非発光領域
３１０    枠部
３１１    光拡散板
３１２    蛍光管
３１３    反射板
Ｆ      出射面
Ｎ      横斜め方向
Ｏ      横斜め方向
Ｐ      正面方向
ＰＡ    平行領域
ＢＡ    傾斜領域
【図１】
2008243620.tif 000003
【図２】
2008243620.tif 000004
【図３】
2008243620.tif 000005
【図４】
2008243620.tif 000006
【図５】
2008243620.tif 000007
【図６】
2008243620.tif 000008
【図７】
2008243620.tif 000009
【図８】
2008243620.tif 000010
【図９】
2008243620.tif 000011
【図１０】
2008243620.tif 000012
【図１１】
2008243620.tif 000013
【図１２】
2008243620.tif 000014
【図１３】
2008243620.tif 000015
【図１４】
2008243620.tif 000016
【図１５】
2008243620.tif 000017
【図１６】
2008243620.tif 000018
【図１７】
2008243620.tif 000019
【図１８】
2008243620.tif 000020
【図１９】
2008243620.tif 000021
【図２０】
2008243620.tif 000022
【図２１】
2008243620.tif 000023
【図２２】
2008243620.tif 000024
【図２３】
2008243620.tif 000025
【図２４】
2008243620.tif 000026
【図２５】
2008243620.tif 000027
【図２６】
2008243620.tif 000028
【図２７】
2008243620.tif 000029
【図２８】
2008243620.tif 000030